(57)【要約】【課題】  ベルトが螺蓋に対して空回りすることを防止して、螺蓋を容易に回転させることができる回転補助具を提供。【解決手段】  支軸で互いに連結された第一及び第二ハンドル１及び２と、ゴムベルト３とから構成され、ゴムベルト３の両端を互いに同じ方向に向けて重ねてループを形成し、ゴムベルトの重ねた部分を第一ハンドル１と第二突起部２２とにより挟持し、且つ、重ねた部分の第一ハンドル１側の部分３１を第一突起部１４で押して第二ハンドル２側に付勢しておき、ループを詰蓋５の周囲に掛けて、第一及び第二把持部１２及び２１を第一ハンドル１側に回すときに、第一突起部１４を離れてから螺蓋５に接触するまでの間のゴムベルト部分３２をループの内側に凸になるように撓めた状態で、押え部１３の先端１３ａをゴムベルト部分に押し当てる。【選択図】      図３
2005335786.tif 000002
【特許請求の範囲】
【請求項１】
支軸を含む支軸部と、前記支軸部から一方に延びる第一把持部と、前記支軸部から他方に延びる押え部と、を有する第一ハンドルと、
前記支軸で、前記第一ハンドルと連結され、前記支軸から一方に前記第一把持部と向かい合わせに延びる第二把持部を有する第二ハンドルと、
被回転物の周囲に掛けるループを形成する、弾性を有するゴムベルトと、から構成され、
前記第一ハンドルの前記押え部は、前記第一把持部の延長方向に対して前記第二ハンドルと反対側に角度を成し、前記押え部の付け根に、前記第二ハンドル側に突出した第一突起部を有し、
前記第二ハンドルの前記第二把持部は、前記支軸近くに、前記第一ハンドル側に突出した第二突起部を有し、
前記ゴムベルトの一部分を重ねて前記第一ハンドルと第二突起部とにより挟持し、且つ、重ねた部分の前記第一ハンドル側の部分を前記第一突起部で押して前記第二ハンドル側に付勢しておき、
前記ループを被回転物の周囲に掛けて、前記第一及び第二把持部を第一ハンドル側に回すときに、前記第一突起部を離れてから前記被回転物に接触するまでの間のゴムベルト部分をループの内側に凸になるように撓めた状態で、前記押え部の先端をゴムベルト部分に押し当てる
ことを特徴とする回転補助具。
【請求項２】
前記第二ハンドルは、前記第二突起部近傍で、前記第一ハンドルと反対側に屈折していることを特徴とする請求項１又は２記載の回転補助具。
【請求項３】
前記第一把持部と前記第二把持部とを閉じた状態で固定するための固定部材を更に有する請求項２記載の回転補助具。
【発明の詳細な説明】
【技術分野】
【０００１】
本発明は、壜等の螺蓋を容易に回すことができる回転補助具に関する。
【背景技術】
【０００２】
従来から、きつく締まった螺蓋を開けるために種々の回転補助具が提案されている。特に、螺蓋にベルトを巻き付け、そのベルトを取り付けたハンドルを回すことにより、梃子の原理を利用して螺蓋を回す種類の回転補助具が多数提案されている（例えば、特許文献１乃至３）。この種類の回転補助具はいずれも、原理的には、ベルトの一端をハンドルに固定しておき、ハンドルの先端等を、螺蓋に巻き付けたベルトに押しつけ、そして、ハンドルの先端近傍を中心にしてハンドルを回して、ベルトの固定端を螺蓋の外周接線方向に引っ張ることにより、螺蓋にトルクを与えるものである。
【０００３】
【特許文献１】実開昭４８−６５６６２号公報（第２図）
【特許文献２】実開昭４８−１１０３６８号公報
【特許文献３】実開昭５２−９１３５７号公報
【発明の開示】
【発明が解決しようとする課題】
【０００４】
ところで、螺蓋を回転させる際に、ハンドルの先端等がベルトに対して滑ると、螺蓋に十分なトルクを与えることができない。このため、例えば、ベルトに押しつけるハンドル先端に鋸歯状の滑り止めを設ける工夫がされている（例えば、特許文献２及び３）。
しかしながら、実際には、ハンドルの先端がベルトに対して滑らなくとも、今度は、ベルトが螺蓋に対して滑って空回りすることがある。このため、この種類の従来の回転補助具を使用するには、一般に、単にハンドルを回すだけでなく、ハンドルの先端等をベルトに押しつけるように力を入れるコツが必要な場合があった。
【０００５】
そこで、本発明は、ベルトが螺蓋に対して空回りすることを防止して、螺蓋を容易に回転させることができる回転補助具を提供することを目的としている。
【課題を解決するための手段】
【０００６】
上記の目的を達成するため、本発明の回転補助具は、支軸を含む支軸部と、支軸部から一方に延びる第一把持部と、支軸部から他方に延びる押え部と、を有する第一ハンドルと、支軸で、第一ハンドルと連結され、支軸から一方に第一把持部と向かい合わせに延びる第二把持部を有する第二ハンドルと、被回転物の周囲に掛けるループを形成する、弾性を有するゴムベルトと、から構成され、第一ハンドルの押え部は、第一把持部の延長方向に対して第二ハンドルと反対側に角度を成し、押え部の付け根に、第二ハンドル側に突出した第一突起部を有し、第二ハンドルの第二把持部は、支軸近くに、第一ハンドル側に突出した第二突起部を有し、ゴムベルトの一部分を重ねて第一ハンドルと第二突起部とにより挟持し、且つ、重ねた部分の第一ハンドル側の部分を第一突起部で押して第二ハンドル側に付勢しておき、ループを被回転物の周囲に掛けて、第一及び第二把持部を第一ハンドル側に回すときに、第一突起部を離れてから前記被回転物に接触するまでの間のゴムベルト部分をループの内側に凸になるように撓めた状態で、前記押え部の先端をゴムベルト部分に押し当てることを特徴としている。
【０００７】
このように構成された本発明の回転補助具によれば、ゴムベルトが第一突起部によって押されて第二ハンドル側に付勢されている。このため、ゴムベルトを被回転物の周囲に掛けたときに、第一突起を離れてから被回転物に接触するまでのベルト部分が、第一突起部を設けない場合よりも、より強く、ループの内側を凸に湾曲して撓む。その結果、ゴムベルトの撓みに対する反発力により、ゴムベルト自身が被回転物を強く押し返す。これにより、押え部による押圧に加えて、ゴムベルト自身の反発力よってベルトを被回転物に強く押しつけることができる。したがって、ゴムベルトが被回転物に対して空回りすることを防止して、被回転物を容易に回転させることができる。
【０００８】
また、本発明において、好ましくは、第二ハンドルは、第二突起部近傍で、第一ハンドルと反対側に屈折している。
これにより、第一及び第二ハンドルの把持部どうしを握って使用する際に、ゴムベルトを十分な力で挟持することができる。
【０００９】
また、本発明において、好ましくは、第一把持部と第二把持部とを閉じた状態で固定するための固定部材を更に有する。
このように、固定部材を設ければ、ゴムベルトを挟持するために把持部を握り続ける必要がない。このため、より容易に被回転物に回転トルクを与えることができる。
【発明を実施するための最良の形態】
【００１０】
以下、添付の図面を参照して、本発明の回転補助具の実施形態を説明する。
まず、図１を参照して、本発明の実施形態の回転補助具を示す。図１（Ａ）は、本発明の実施形態の回転補助具の全体を示す平面図であり、図１の（Ｂ）は、回転補助具の使用態様を示す斜視図である。
【００１１】
図１の（Ａ）に示すように、本実施形態の回転補助具は、第一ハンドル１と、第二ハンドル２と、ゴムベルト３とから構成されている。第一ハンドル１と第二ハンドル２とは互いに向かい合った状態で、それらの一端近くで支軸により連結されている。また、ゴムベルト３は、その両端付近を重ねてループを形成し、その両端を第一ハンドル１と第二ハンドル２との間に挿入している。
【００１２】
そして、使用にあたっては、図１の（Ｂ）に示すように、ゴムベルト３のループを、壜等の容器４の螺蓋５の周囲に掛ける。そして、第一及び第二把持部１３及び２１を握って、第一及び第二ハンドル１及び２を、矢印Ａに示すように、第一及ハンドル１側へ回転させる。これにより、梃子の原理を利用して、螺蓋の周囲に大きな回転力を与えることができる。
【００１３】
次に、図２を参照して、実施形態の回転補助具の各構成部品について詳細に説明する。
図２の（Ａ）は、本発明の実施形態の第一ハンドルの側面図であり、図２の（Ｂ）は、その第一ハンドルを先端側から見た図である。また、図２の（Ｃ）は、第二ハンドルの側面図であり、図２の（Ｄ）は、ゴムバンドの平面図である。
【００１４】
図２の（Ａ）に示すように、第一ハンドル１は、支軸１０を含む支軸部１１と、支軸部１１から一方に延びる第一把持部１２と、支軸部から他方に延びる押え部１３と、を有する。この押え部１３は、第一把持部１２の延長方向に対して第二ハンドル２と反対側に角度を成している。この角度は、好ましくは、例えば、４０〜５０°の範囲が好ましい。さらに、押え部１３の先端１３ａは、第二ハンドル２側に僅かに曲がっているのが好ましい。
【００１５】
また、押え部１３の付け根には、第二ハンドル２側に突出した第一突起部１４が設けられている。本実施形態の第一突起部１４は、第一ハンドル１の長手方向に対して垂直方向に畝状に延びた形状（枕形状）を有する。また、第一突起部１４は、数ミリメートル程度の高さを有し、先端方向に斜めに突起している。
【００１６】
図２の（Ｂ）に示すように、第一ハンドル１の把持部１３と支軸１０との間には、ゴムベルト３を重ねて挿入するために、間隙が設けられている。この間隙の寸法、形状は、挿入するベルトの幅や厚さに合わせて決定するのがよく、重ねたゴムベルト３を挿入して多少緩みが残る程度が好ましい。
【００１７】
また、図２の（Ｃ）に示すように、第二ハンドル２は、前記第一ハンドルと連結するための支軸１０の軸受を一端に備え、この支軸１０から一方に第一把持部１２と向かい合わせに延びる第二把持部２１を有する。この第二把持部２１の支軸１０近くには、第一ハンドル１側に突出した第二突起部２２が設けられている。この第二突起部２２は、第二ハンドル２の長手方向に対して垂直方向に畝状に延びた形状（枕形状）を有する。また、第二突起部２２は、数ミリメートル程度の高さを有し、第二把持部２１の先端方へ（支軸と反対側の方へ）斜めに突起している。
【００１８】
さらに、第二ハンドル２は、第二突起部２２近傍で、第一ハンドル１と反対側に屈折している。この結果、第二ハンドル２の第二把持部２１は、支軸１０から離れる程、第一把持部１２との距離が離れることになる。そして、第一及び第二把持部１２及び２１を握って、ゴムベルト３を挟持する場合に、梃子の原理を利用して、ゴムベルト３を強く挟んで固定することが容易となる。
【００１９】
また、図２の（Ｄ）に示すゴムベルト３は、弾性を有し、螺蓋の周囲に掛けるループを形成する。このようなゴムベルト３は、滑りにくく、伸びにくく、且つ、耐久性の高いことが好ましい。そのために、例えば、芯布地の片面又は両面に表面にゴム層を形成することが望ましい。そのような芯布地として、例えば、アミド繊維のような、耐熱性と高強度を併せ持つ繊維を採用するとよい。また、ゴムベルトの材料としては、任意好適なものを使用することができる。
【００２０】
また、本実施形態では、ゴムベルト３の内側表面に、滑り止めのための凹凸を付けている。なお、各図において、この凹凸の表示を一部省略している。また、図２の（Ｄ）では、便宜的に、ゴムベルト３の両端付近をループの外側に反らして示しているが、実際のゴムベルト３では、両端付近もループの内側に反った形状を有している。
また、ゴムベルトの幅は、例えば、１０〜２１ｍｍが好ましく、本実施形態では、幅１８ｍｍのゴムベルトを使用した。
【００２１】
そして、このゴムベルト３は、図１の（Ａ）に示すように、その両端を互いに同じ方向に向けて重ねてループを形成する。さらに、ゴムベルト３の重ねた部分は、第一ハンドル１と第二ハンドル２との間に、先端側から挿入されて、第一ハンドル１と第二突起部２２とによって挟持される。
また、ゴムベルト３の重ねた部分のうち、第一ハンドル１側の部分３０は、第一突起部１４で押されて、第二ハンドル２側に付勢されている、すなわち、第二ハンドル２側にそれて偏っている。
【００２２】
次に、図３を参照して、実施形態の回転補助具の使用方法について説明する。
図３の（Ａ）は、ゴムバンドのループを螺蓋に掛けた状態を示す。図３の（Ｂ）は、ハンドルを回して、螺蓋にトルクを与えている状態を示す。
【００２３】
先ず、図３の（Ａ）に示すように、ゴムバンド３のループを螺蓋５に掛ける。ループの大きさは、ゴムバンド３を重ねて第一及び第二ハンドル１及び２間に挿入する部分の長さを調節することによって、容易に調節することができる。
【００２４】
そして、図３の（Ｂ）に示すように、第一及び第二把持部１２及び２１を握って、矢印Ａで示すように、第一ハンドル１側に回す。このとき、ゴムバンドの重ねた部分のうちの、第二ハンドル２側の部分３１は、矢印Ｂで示すように、螺蓋５の円周の接線方向に引っ張られる。そして、螺蓋５の周囲に巻き付いたゴムバンド３により、螺蓋５に回転力が与えられる。
【００２５】
このとき、ゴムベルト３のうち、第一突起部１４を離れてから螺蓋５に接触するまでの間のゴムベルト部分３１がループの内側を凸にして撓んだ状態となる。この撓みの程度は、ゴムベルト部分３０が第一突起部１４によって押されて第二ハンドル２側に付勢されているため、第一突起部１４を設けない場合よりも、より強くなっている。その結果、ゴムベルトの撓みに対する反発力も強くなり、矢印Ｃで示す方向に、ゴムベルト３が螺蓋５を強く押し返す力が働く。すなわち、ゴムベルト３自身の反発力によって、ゴムベルト３が螺蓋５に強く押しつけられる。そして、ゴムベルト３が螺蓋に押しつけられている部分に、更に、押え部１３の先端１３ａが押しつけられる。
このように、本実施形態では、押え部１３による押圧に加えて、ゴムベルト３自身の反発力よってゴムベルト３を螺蓋５に強く押しつけることができる。その結果、ゴムベルト３が螺蓋５に対して空回りすることを防止して、螺蓋５を容易に回転させることができる。
【００２６】
次に、図４を参照して、変形例の回転補助具について説明する。
図４の（Ａ）は、ハンドルを開いた状態の第二実施形態の変形例の回転補助具を示す。また、図４の（Ｂ）は、ハンドルを閉じた状態の変形例の回転補助具を示す。
図４に示す例では、回転補助具は、第一把持部と第二把持部とを閉じた状態で固定するための固定部材として、リング形状のストッパー６を更に有する。このストッパー６は、第一及び第二ハンドル１及び２に跨って支軸１０近くに嵌めておき、把持部の端の方へ移動させることにより、第一及び第二把持部１２及び２１を締め付ける。これにより、ゴムベルトを挟持するために把持部を握り続ける必要がなくなる。
さらに、ストッパー６、又は両把持部１２及び２１の表面には、ストッパー６を第一及び第二把持部１２及び２１に対して固定できるように、滑り止めを施すことが望ましい。
【００２７】
なお、本実施形態では、固定部材として、リング状のストッパーを用いた例について説明したが、固定部材には、任意好適なものを採用することができる。例えば、コの字型のストッパーを用いて、第一及び第二把持部を固定してもよいし、第一及び第二把持部を互いに螺止めするようにしてもよい。
【００２８】
上述した各実施形態では、本発明を特定の条件で構成した例について説明したが、本発明は種々の変更及び組み合わせを行うことができ、これに限定されるものではない。
例えば、上述した実施形態では、被回転物として螺蓋を回転させる例について説明したが、本発明では、被回転物は螺蓋に限定されない。例えば、バルブのハンドルのように、手で回すように設計された種々の回転物について適用することができる。
また、例えば、上述した実施形態では、両端のある帯状のゴムベルトを使用した例について説明したが、本発明では、両端の無い、環状のゴムベルトを使用してもよい。
また、例えば、上述した実施形態では、第一及び第二把持部を特定の形状とした例について説明したが、本発明では、把持部の形状はこれに限定されず、任意好適な形状とすることができる。
【図面の簡単な説明】
【００２９】
【図１】（Ａ）は、本発明の実施形態の回転補助具の全体を示す平面図であり、（Ｂ）は、回転補助具の使用態様を示す斜視図である。
【図２】（Ａ）は、本発明の実施形態の第一ハンドルの側面図であり、（Ｂ）は、第一ハンドルを先端側から見た図であり、（Ｃ）は、第二ハンドルの側面図であり、（Ｄ）は、ゴムバンドの平面図である。
【図３】（Ａ）は、ゴムバンドのループを螺蓋に掛けた状態を示し、（Ｂ）は、ハンドルを回して、螺蓋にトルクを与えている状態を示す。
【図４】（Ａ）は、ハンドルを開いた状態の変形例の回転補助具を示し、（Ｂ）は、ハンドルを閉じた状態の変形例の回転補助具を示す。
【符号の説明】
【００３０】
１  第一ハンドル
２  第二ハンドル
３  ゴムバンド
４  容器
５  螺蓋
１０  支軸
１１  支軸部
１２  第一把持部
１３  押え部
１３ａ  押え部先端
１４  第一突起部
２１  第二把持部
２２  第二突起部
３０，３１，３２  ゴムベルト部分
【図１】
2005335786.tif 000003
【図２】
2005335786.tif 000004
【図３】
2005335786.tif 000005
【図４】
2005335786.tif 000006